(57)【要約】【課題】新しいデータ表示手段を提供する。【解決手段】複数のデータ種のデータを表示した複数のウインドウを表示できる表示部１０と、ウインドウの表示態様に基づいて、ディスプレイに表示されている複数のウインドウの優先順位を決定する優先順位決定部３０と、ウインドウに表示されているデータに対する操作を受付けるデータ操作受付部４０と、データ操作受付部４０が操作を受付けると、ディスプレイに表示されているデータの表示内容を変更するデータ表示変更部５０と、データ操作受付部４０が、第１のウインドウに表示されているデータに対する操作を受付けた場合、その時点で第１のウインドウよりも優先順位が低いウインドウの表示内容の変更を許可するが、第１のウインドウよりも優先順位が高いウインドウの表示内容の変更は許可しないように、データ表示変更部５０を制御する変更制御部６０とを有するデータ表示装置１。【選択図】図１
2013041401.tif 000002
【特許請求の範囲】
【請求項１】
複数のデータ種各々のデータを表示した複数のウインドウを同時にディスプレイに表示できる表示手段と、
前記ウインドウ各々の表示態様を変更する操作を受付け、当該操作に従い、前記ウインドウの表示態様を変更するウインドウ表示変更手段と、
前記ディスプレイに複数の前記ウインドウが表示されている場合、前記ウインドウの表示態様に基づいて、複数の前記ウインドウの優先順位を決定する優先順位決定手段と、
前記ウインドウに表示されている前記データに対する操作を受付けるデータ操作受付手段と、
前記データ操作受付手段が第１の前記データ種の前記データに対する操作を受付けた場合、他の前記データ種の前記データの表示内容を変更する処理を定めた変更ルールに従い、前記データ操作受付手段が前記操作を受付けると、前記ディスプレイに表示されている前記データの表示内容を変更するデータ表示変更手段と、
前記データ操作受付手段が、第１の前記ウインドウに表示されている前記データに対する操作を受付けた場合、その時点で前記第１のウインドウよりも前記優先順位が低い前記ウインドウに表示されている前記データの表示内容の変更を許可するが、前記第１のウインドウよりも前記優先順位が高い前記ウインドウに表示されている前記データの表示内容の変更は許可しないように、前記データ表示変更手段を制御する変更制御手段と、
を有するデータ表示装置。
【請求項２】
請求項１に記載のデータ表示装置において、
前記優先順位決定手段は、複数の前記ウインドウ各々の前記ディスプレイ上での位置に基づいて、前記優先順位を決定するデータ表示装置。
【請求項３】
請求項２に記載のデータ表示装置において、
前記優先順位決定手段は、前記ディスプレイ上における位置が上にある前記ウインドウほど前記優先順位を高く決定するデータ表示装置。
【請求項４】
請求項１に記載のデータ表示装置において、
前記優先順位決定手段は、前記ディスプレイ上における表示領域が大きい前記ウインドウほど前記優先順位を高く決定するデータ表示装置。
【請求項５】
請求項１から４のいずれか１項に記載のデータ表示装置において、
前記変更ルールの中には、前記データ操作受付手段が前記他のデータ種の中の少なくとも１つの前記データに対する操作を受付けた場合、前記第１のデータ種の前記データの表示内容を変更する処理が定められているデータ表示装置。
【請求項６】
コンピュータを、
複数のデータ種各々のデータを表示した複数のウインドウを同時にディスプレイに表示できる表示手段、
前記ウインドウ各々の表示態様を変更する操作を受付け、当該操作に従い、前記ウインドウの表示態様を変更するウインドウ表示変更手段、
前記ディスプレイに複数の前記ウインドウが表示されている場合、前記ウインドウの表示態様に基づいて、複数の前記ウインドウの優先順位を決定する優先順位決定手段、
前記ウインドウに表示されている前記データに対する操作を受付けるデータ操作受付手段、
前記データ操作受付手段が第１の前記データ種の前記データに対する操作を受付けた場合、他の前記データ種の前記データの表示内容を変更する処理を定めた変更ルールに従い、前記データ操作受付手段が前記操作を受付けると、前記ディスプレイに表示されている前記データの表示内容を変更するデータ表示変更手段、
前記データ操作受付手段が、第１の前記ウインドウに表示されている前記データに対する操作を受付けた場合、その時点で前記第１のウインドウよりも前記優先順位が低い前記ウインドウに表示されている前記データの表示内容の変更を許可するが、前記第１のウインドウよりも前記優先順位が高い前記ウインドウに表示されている前記データの表示内容の変更は許可しないように、前記データ表示変更手段を制御する変更制御手段、
として機能させるためのプログラム。
【請求項７】
複数のデータ種各々のデータを表示した複数のウインドウを同時にディスプレイに表示する表示工程、
前記ウインドウ各々の表示態様を変更する操作を受付け、当該操作に従い、前記ウインドウの表示態様を変更するウインドウ表示変更工程、
前記ディスプレイに複数の前記ウインドウが表示されている場合、前記ウインドウの表示態様に基づいて、複数の前記ウインドウの優先順位を決定する優先順位決定工程、
前記ウインドウに表示されている前記データに対する操作を受付けるデータ操作受付工程、
前記データ操作受付工程で第１の前記データ種の前記データに対する操作を受付けた場合、他の前記データ種の前記データの表示内容を変更する処理を定めた変更ルールに従い、前記データ操作受付工程で前記操作を受付けると、前記ディスプレイに表示されている前記データの表示内容を変更するデータ表示変更工程、
前記データ操作受付工程で、第１の前記ウインドウに表示されている前記データに対する操作を受付けた場合、その時点で前記第１のウインドウよりも前記優先順位が低い前記ウインドウに表示されている前記データの表示内容の変更を許可するが、前記第１のウインドウよりも前記優先順位が高い前記ウインドウに表示されている前記データの表示内容の変更は許可しないように、前記データ表示変更手段を制御する変更制御工程、
をコンピュータが実行するデータ表示方法。
【発明の詳細な説明】
【技術分野】
【０００１】
本発明は、データ表示装置、データ表示方法およびプログラムに関する。
【背景技術】
【０００２】
複数のデータ種のデータをディスプレイに同時に表示し、１つのデータ種のデータに対する操作を受付けると、他のデータ種のデータの表示内容を変更する表示手段がある。
【０００３】
例えば、ＩＴ機器を用いて実現される様々なサービスの状態を監視する監視用データセンタにおいて、このような表示手段が利用される場合がある。一例としては、以下のような表示処理を実行するものがある。まず、監視対象である複数のサービス提供用データセンタ各々の拠点を示した地図データ（以下、「地図データ」）とともに、監視対象であるサービスの一覧データ（以下、「サービス一覧データ」）を同時に表示する。そして、地図データ上において１つの拠点を指定する操作を受付けると、サービス一覧データの表示内容を、指定された拠点に位置するサービス提供用データセンタが提供するサービスの一覧に変更する。
【０００４】
特許文献１には、ポータル内のポートレットをドラッグアンドドロップすることによって、レイアウトを配置することが記載されている。
【０００５】
特許文献２には、ウインドウの優先度を決定するルールが記載されている。
【０００６】
特許文献３には、表示画面に複数のウインドウを表示する表示方法であって、ウインドウを生成する生成工程と、新たなウインドウが生成時、前記新たに生成されたウインドウと関連性をもつ他のウインドウが存在するかどうかを調べる検索工程と、前記新たに生成されたウインドウと関連性を持つ他のウインドウが存在する場合、前記新たに生成されたウインドウと前記他のウインドウとの関連性が明示されるように前記新たに生成されたウインドウを前記表示画面に表示する表示工程とを有する表示方法が記載されている。
【０００７】
特許文献４には、画面に１以上の作業ウインドウを表示可能なマルチウインドウ機能を備えた表示システムと、前記画面に表示するためのＧＵＩを走査する入力装置と、前記画面上に表示されるウインドウの１つを、少なくとも１つの他のウインドウとグループ化するウインドウ群形成手段と、前記グループ化されたウインドウ群を連動させて処理するウインドウ群制御手段と、を含むマルチウインドウ情報処理装置が開示されている。
【先行技術文献】
【特許文献】
【０００８】
【特許文献１】特表２００９−５３５７０６号公報
【特許文献２】特開平１０−２６０８１０号公報
【特許文献３】特開平６−１３０９２８号公報
【特許文献４】特開２００９−１６９５４５号公報
【発明の概要】
【発明が解決しようとする課題】
【０００９】
本発明者は、上述のような表示手段において、以下のような課題を見出した。
【００１０】
まず、扱うデータの内容によっては、第１のデータ種のデータの操作を受付けた場合に、第２のデータ種のデータの表示内容を変更するのみならず、第２のデータ種のデータの操作を受付けた場合にも、第１のデータ種のデータの表示内容を変更するよう設計することが望ましい場合がある。以下、このようなデータ種間の関係を、「双方向支配関係」という。
【００１１】
例えば、上記地図データとサービス一覧データとの関係を考えてみる。
【００１２】
かかる場合、（１）地図データ上において１つの拠点を指定する操作を受付けると、サービス一覧データの表示内容を、指定された拠点に位置するサービス提供用データセンタが提供するサービスの一覧に変更する表示処理のみならず、（２）サービス一覧データ上において１つのサービスを指定する操作を受付けると、地図データの縮尺を変更などし、指定されたサービスを提供するサーバのフロア図に変更する表示処理などが実行されると、ユーザによる活用の幅が広がり好ましい。
【００１３】
このため、地図データとサービス一覧データとは、双方向支配関係にあると言える。
【００１４】
従来、このような双方向支配関係にあるデータ種の有効的なデータ表示手段がなかった。
【００１５】
例えば、双方向支配関係にある第１及び第２のデータ種のデータ各々を、第１及び第２のウインドウ各々に表示し、第１のウインドウにおいて第１のデータ種に対するデータ操作を受付けると、第２のウインドウにおける第２のデータ種のデータ表示を変更し、また、第２のウインドウにおいて第２のデータ種に対するデータ操作を受付けると、第１のウインドウにおける第１のデータ種のデータ表示を変更するよう設計する手段が考えられる。
【００１６】
しかし、通常、ユーザは複数のウインドウ間の主従関係や、階層構造等を把握し、どのウインドウを操作すると、どのウインドウの表示内容が変更されるかを理解した上で、所望の操作を行うことを望むと考えられる。それにも関らず、上述のように、複数のウインドウ間において、一方のウインドウで受付けた操作が、他方のウインドウのデータ表示の変更を引き起こすとともに、その逆も同時に実現可能に設計すると、操作と、各操作に伴う表示変更の関係が複雑になり、ユーザが混乱する可能性がある。すなわち、ユーザフレンドリーな設計とはいえない。
【００１７】
上記問題を解決可能な手段として、第３のウインドウを利用するものが考えられる。すなわち、双方向支配関係にある第１及び第２のデータ種のデータ各々を、第１及び第２のウインドウ各々に表示するとともに、第１のデータ種のデータを表示する第３のウインドウをさらに表示する。そして、第１のウインドウにおいて第１のデータ種に対するデータ操作を受付けると、第２のウインドウにおける第２のデータ種のデータ表示を変更し、第２のウインドウにおいて第２のデータ種に対するデータ操作を受付けると、第３のウインドウにおける第１のデータ種のデータ表示を変更するよう設計する手段が考えられる。
【００１８】
しかし、このように設計した場合、同一のデータ種のデータが複数のウインドウで同時に表示されることとなるので、ユーザが混乱する可能性がある。上述のように、ユーザは、どのウインドウを操作すると、どのウインドウの表示内容が変更されるかを理解した上で、所望の操作を行うことを望むと考えられる。それにも関らず、同一のデータ種のデータを複数のウインドウで同時に表示すると、ユーザは、同一のデータ種のデータを表示する複数のウインドウのうち、いずれを操作すると、所望のウインドウのデータ表示が変更されるのか、容易に理解できなくなる恐れがある。例えば、上記例の場合、ユーザは、同一のデータ種のデータを表示している第１のウインドウと第３のウインドウを識別できなくなる恐れがある。結果、第２のウインドウに表示されているデータ内容を変更したい時に、第１のウインドウを操作すべきか、第３のウインドウを操作すべきか、容易に判断できなくなる恐れがある。
【００１９】
そこで、本発明では、双方向支配関係にあるデータ種の新しいデータ表示手段を提供することを課題とする。
【課題を解決するための手段】
【００２０】
本発明によれば、複数のデータ種各々のデータを表示した複数のウインドウを同時にディスプレイに表示できる表示手段と、前記ウインドウ各々の表示態様を変更する操作を受付け、当該操作に従い、前記ウインドウの表示態様を変更するウインドウ表示変更手段と、前記ディスプレイに複数の前記ウインドウが表示されている場合、前記ウインドウの表示態様に基づいて、複数の前記ウインドウの優先順位を決定する優先順位決定手段と、前記ウインドウに表示されている前記データに対する操作を受付けるデータ操作受付手段と、前記データ操作受付手段が第１の前記データ種の前記データに対する操作を受付けた場合、他の前記データ種の前記データの表示内容を変更する処理を定めた変更ルールに従い、前記データ操作受付手段が前記操作を受付けると、前記ディスプレイに表示されている前記データの表示内容を変更するデータ表示変更手段と、前記データ操作受付手段が、第１の前記ウインドウに表示されている前記データに対する操作を受付けた場合、その時点で前記第１のウインドウよりも前記優先順位が低い前記ウインドウに表示されている前記データの表示内容の変更を許可するが、前記第１のウインドウよりも前記優先順位が高い前記ウインドウに表示されている前記データの表示内容の変更は許可しないように、前記データ表示変更手段を制御する変更制御手段と、を有するデータ表示装置が提供される。
【００２１】
また、本発明によれば、コンピュータを、複数のデータ種各々のデータを表示した複数のウインドウを同時にディスプレイに表示できる表示手段、前記ウインドウ各々の表示態様を変更する操作を受付け、当該操作に従い、前記ウインドウの表示態様を変更するウインドウ表示変更手段、前記ディスプレイに複数の前記ウインドウが表示されている場合、前記ウインドウの表示態様に基づいて、複数の前記ウインドウの優先順位を決定する優先順位決定手段、前記ウインドウに表示されている前記データに対する操作を受付けるデータ操作受付手段、前記データ操作受付手段が第１の前記データ種の前記データに対する操作を受付けた場合、他の前記データ種の前記データの表示内容を変更する処理を定めた変更ルールに従い、前記データ操作受付手段が前記操作を受付けると、前記ディスプレイに表示されている前記データの表示内容を変更するデータ表示変更手段、前記データ操作受付手段が、第１の前記ウインドウに表示されている前記データに対する操作を受付けた場合、その時点で前記第１のウインドウよりも前記優先順位が低い前記ウインドウに表示されている前記データの表示内容の変更を許可するが、前記第１のウインドウよりも前記優先順位が高い前記ウインドウに表示されている前記データの表示内容の変更は許可しないように、前記データ表示変更手段を制御する変更制御手段、として機能させるためのプログラムが提供される。
【００２２】
また、本発明によれば、複数のデータ種各々のデータを表示した複数のウインドウを同時にディスプレイに表示する表示工程、前記ウインドウ各々の表示態様を変更する操作を受付け、当該操作に従い、前記ウインドウの表示態様を変更するウインドウ表示変更工程、前記ディスプレイに複数の前記ウインドウが表示されている場合、前記ウインドウの表示態様に基づいて、複数の前記ウインドウの優先順位を決定する優先順位決定工程、前記ウインドウに表示されている前記データに対する操作を受付けるデータ操作受付工程、前記データ操作受付工程で第１の前記データ種の前記データに対する操作を受付けた場合、他の前記データ種の前記データの表示内容を変更する処理を定めた変更ルールに従い、前記データ操作受付工程で前記操作を受付けると、前記ディスプレイに表示されている前記データの表示内容を変更するデータ表示変更工程、前記データ操作受付工程で、第１の前記ウインドウに表示されている前記データに対する操作を受付けた場合、その時点で前記第１のウインドウよりも前記優先順位が低い前記ウインドウに表示されている前記データの表示内容の変更を許可するが、前記第１のウインドウよりも前記優先順位が高い前記ウインドウに表示されている前記データの表示内容の変更は許可しないように、前記データ表示変更手段を制御する変更制御工程、をコンピュータが実行するデータ表示方法が提供される。
【発明の効果】
【００２３】
本発明によれば、双方向支配関係にあるデータ種の新しいデータ表示手段が実現される。
【図面の簡単な説明】
【００２４】
【図１】本実施形態のデータ表示装置が実現する表示の一例である。
【図２】本実施形態のデータ表示装置が実現する表示の一例である。
【図３】本実施形態のデータ表示装置の機能ブロック図の一例である。
【図４】本実施形態のデータ表示装置が実現する表示の一例である。
【図５】本実施形態のデータ表示装置が保持するデータの一例である。
【図６】本実施形態のデータ表示装置が保持するデータの一例である。
【図７】本実施形態のデータ表示方法の処理の流れの一例を示すフローチャートである。
【図８】本実施形態のデータ表示装置が実現する表示の一例である。
【図９】本実施形態のデータ表示装置が実現する表示の一例である。
【図１０】本実施形態のデータ表示装置が保持するデータの一例である。
【図１１】本実施形態のデータ表示装置が実現する表示の一例である。
【図１２】本実施形態のデータ表示装置が保持するデータの一例である。
【図１３】本実施形態のデータ表示装置が保持するデータの一例である。
【図１４】本実施形態のデータ表示装置が保持するデータの一例である。
【図１５】本実施形態のデータ表示装置が実現する表示の一例である。
【図１６】本実施形態のデータ表示装置が実現する表示の一例である。
【発明を実施するための形態】
【００２５】
以下、本発明の実施の形態について図面を用いて説明する。
【００２６】
なお、本実施形態の装置は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００２７】
また、本実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００２８】
＜第１の実施形態＞
まず、本実施形態の概要について説明する。
【００２９】
本実施形態のデータ表示装置は、複数のデータ種各々のデータを表示した複数のウインドウを同時にディスプレイに表示することができる。なお、データ表示装置は、上記説明した「双方向支配関係」にある複数のデータ種も、複数のウインドウを用いて同時にディスプレイに表示することができる。
【００３０】
データ表示装置の利用場面、および、データ表示装置が表示するデータ種の種類は特段制限されない。本実施形態のデータ表示装置は、コンピュータやネットワークを用いて実現される様々なサービスの状態を監視する監視用データセンタで利用され、監視のための様々なデータ種のデータを表示するものとする。例えば、データ表示装置は、図１に示すように、監視対象である複数のサービス提供用データセンタ各々の拠点を示した地図データ（図中、四角マークで拠点を示している）をウインドウＡに表示するとともに、監視対象であるサービスの一覧データ（サービス一覧データ）をウインドウＢに表示し、これら複数のウインドウＡ及びＢを同時にディスプレイに表示することができる。なお、当該地図データと、サービス一覧データとは、双方向支配関係にあるものとする。
【００３１】
また、データ表示装置は、各ウインドウにおいてデータ操作を受付けると、他のウインドウにおけるデータ表示を変更することができる。例えば、地図データを表示するウインドウにおいて、１つの拠点を指定する操作を受付けると、サービス一覧データを表示するウインドウの表示内容を、指定された拠点に位置するサービス提供用データセンタが提供するサービスの一覧に変更することができる。また、例えば、サービス一覧データを表示するウインドウにおいて、１つのサービスを指定する操作を受付けると、地図データの縮尺を変更などし、指定されたサービスを提供するサーバのフロア図が表示されるように変更することができる。
【００３２】
なお、双方向支配関係にある複数のデータ種が同時に表示されている場合に、一方のウインドウで受付けた操作が、他方のウインドウのデータ表示の変更を引き起こすとともに、その逆も同時に実現可能に設計すると、上述のようにユーザが混乱する可能性がある。例えば、図１に示す画面において、ウインドウＡで受付けた操作が、ウインドウＢのデータ表示の変更を引き起こすとともに、ウインドウＢで受付けた操作が、ウインドウＡのデータ表示の変更を引き起こすように設計すると、ユーザが混乱する恐れがある。当該混乱は、より多くのデータ種のデータをより多くのウインドウで同時にディスプレイに表示するほど、生じやすくなると考えられる。データ表示装置は、このような不都合を回避するため、以下のような処理を行う。
【００３３】
まず、データ表示装置は、ディスプレイに複数のウインドウが表示されている場合、これらの優先順位を決定する。データ表示装置は、ウインドウの表示態様に基づいて、当該優先順位を決定する。例えば、ディスプレイ上における位置が上にあるウインドウほど、優先順位を高く決定する。図１に示す例の場合、データ表示装置は、ウインドウＡの優先順位を、ウインドウＢの優先順位よりも高く決定する。
【００３４】
そして、データ表示装置は、あるウインドウにおいてデータ操作を受付けた場合、その時点で、当該ウインドウよりも優先順位の低いウインドウに表示されているデータ種のデータ表示の変更は実行するが、優先順位の高いウインドウに表示されているデータ種のデータ表示の変更は実行しない。例えば、図１に示す例の場合、データ表示装置は、ウインドウＡにおいてデータ操作を受付けると、当該操作に従い、ウインドウＢのデータ表示の内容を変更する（図２参照）。図１及び図２を比較すると、ウインドウＡにおいて１つの拠点を指定するデータ操作を受付けた後の状態を示す図２においては、ウインドウＢにおけるサービス一覧の内容が、指定された拠点に位置するサービス提供用データセンタが提供するサービスの一覧に変更されている。一方、図１に示す状態で、ウインドウＢにおけるデータ操作を受付けても、ウインドウＡはウインドウＢよりも優先順位が高いので、データ表示装置は、ウインドウＡのデータ表示の内容を変更しない。
【００３５】
このように、データ表示装置は、双方向支配関係にあるデータ種のデータを同時にディスプレイに表示している場合であっても、各データ種を表示するウインドウの表示態様に基づいて優先順位を決定し、当該優先順位に従い、双方向支配関係にあるデータ種間の関係を、一方向支配関係に限定する。すなわち、一方のウインドウで受付けた操作に起因して他方のウインドウのデータ表示を変更するが、その逆は実行しない。
【００３６】
かかる場合、２つのウインドウ間における操作と表示データの変更の関係がシンプル（一方向）になるので、ユーザの混乱を抑制できる。また、優先順位を、ウインドウの表示態様（例：位置）に基づいて決定し、当該優先順位に従い、２つのウインドウ間における操作と表示データの変更の関係を決定しているので、ユーザは、ウインドウの表示態様から、容易に、２つのウインドウ間の上記関係を把握することができる。
【００３７】
以下、このような本実施形態のデータ表示装置の詳細な構成について説明する。図３は、本実施形態のデータ表示装置１の機能ブロック図の一例である。
【００３８】
図３に示すように、本実施形態のデータ表示装置１は、表示部１０と、ウインドウ表示変更部２０と、優先順位決定部３０と、データ操作受付部４０と、データ表示変更部５０と、変更制御部６０とを有する。
【００３９】
表示部１０は、複数のデータ種各々のデータを表示した複数のウインドウを同時にディスプレイに表示できる。データ種の内容は特段制限されない。表示部１０は、データ表示装置１が記憶するデータを取り出し、ディスプレイに表示してもよいし、または、外部機器に記憶されているデータを、有線および／または無線での通信により取得し、ディスプレイに表示してもよい。なお、同時にディスプレイに表示するウインドウの数は、特段制限されない。
【００４０】
図１に、表示部１０が実現する表示の一例を示す。図１の例の場合、ディスプレイに２つのウインドウＡ及びＢが表示されている。そして、ウインドウＡには、監視対象である複数のサービス提供用データセンタ各々の拠点を示した地図データが表示されている。一方、ウインドウＢには、監視対象であるサービスの一覧データ（サービス一覧データ）が表示されている。
【００４１】
このような表示部１０の構成は、従来技術に準じて実現できるので、ここでの詳細な説明は省略する。
【００４２】
ウインドウ表示変更部２０は、表示部１０が表示するウインドウ各々の表示態様を変更する操作を受付け、当該操作に従い、表示部１０が表示するウインドウ各々の表示態様を変更する。例えば、ウインドウ表示変更部２０は、各ウインドウの表示位置を変更する操作や、各ウインドウのディスプレイ上における大きさを変更する操作を受付け、当該操作に従い、各ウインドウの表示態様を変更することができる。
【００４３】
例えば、ウインドウ表示変更部２０は、図１に示すウインドウＡ及びＢ各々の表示位置を変更する操作を受付け、図４に示すようにウインドウの表示態様を変更することができる。図４に示す例では、図１に示すウインドウＡ及びＢの位置が逆になっている。また、ここでは図示しないが、ウインドウ表示変更部２０は、図１に示すウインドウＡ及びＢの大きさを変更する操作を受付け、受付けた操作に従い、図１に示すウインドウ各々の表示を変更することができる。
【００４４】
このようなウインドウ表示変更部２０の構成は、従来技術に準じて実現できるので、ここでの詳細な説明は省略する。
【００４５】
優先順位決定部３０は、ディスプレイに複数のウインドウが表示されている場合、ウインドウの表示態様に基づいて、複数のウインドウの優先順位を決定する。すなわち、優先順位決定部３０は、その時点でディスプレイに表示されているウインドウ各々を識別する情報（ウインドウＩＤ）、及び、各ウインドウの詳細情報（表示位置、大きさ等）を、例えば表示部１０から取得する。そして、優先順位決定部３０は、当該情報を利用して、その時点における複数のウインドウの優先順位を決定することができる。
【００４６】
なお、優先順位は、例えば以下のようなルールに従い決定することができる。例えば、優先順位決定部３０は、複数のウインドウ各々のディスプレイ上での位置に基づいて、優先順位を決定することができる。一例としては、優先順位決定部３０は、ディスプレイ上における位置が上にあるウインドウほど、優先順位を高く決定してもよい。または、優先順位決定部３０は、ディスプレイ上における位置がディスプレイを閲覧するユーザから見て左にあるウインドウほど、優先順位を高く決定してもよい。または、優先順位決定部３０は、ディスプレイ上における位置が、ディスプレイを閲覧するユーザから見て左上にあるウインドウほど優先順位を高く決定し、右下にあるウインドウほど優先順位を低く決定してもよい。その他、優先順位決定部３０は、複数のウインドウ各々のディスプレイ上における表示領域の大きさに基づいて、優先順位を決定してもよい。例えば、優先順位決定部３０は、表示領域が大きいウインドウほど、優先順位を高く決定してもよい。以下では、優先順位決定部３０は、ディスプレイ上における位置が上にあるウインドウほど、優先順位を高く決定するものとする。
【００４７】
なお、優先順位決定部３０は、各ウインドウの優先順位を記載した優先順位情報を保持しておいてもよい。そして、ウインドウ表示変更部２０がウインドウの表示態様を変更すると、優先順位決定部３０は優先順位を決定し直し、優先順位情報の内容を更新してもよい。例えば、図１に示す例の場合、優先順位決定部３０は、ウインドウＡの優先順位を、ウインドウＢの優先順位よりも高く決定し、図５に示すような優先順位情報を作成して保持する。その後、ウインドウ表示変更部２０がウインドウＡ及びＢの表示態様を図４に示す例のように変更すると、優先順位決定部３０は、優先順位を決定し直す。具体的には、優先順位決定部３０は、ウインドウＢの優先順位を、ウインドウＡの優先順位よりも高く決定する。そして、図６に示すように、優先順位情報を更新する。
【００４８】
図３に戻り、データ操作受付部４０は、ウインドウに表示されているデータに対する操作を受付ける。操作の内容は様々であり、各データ種の内容、他のデータ種との関係、及び、当該データ表示装置１の要求性能等に基づいて決定することができる設計的事項である。例えば、ウインドウに表示されている複数のデータの中の１つまたは複数を指定する操作であってもよいし、所定の値を入力する操作であってもよい。図１に示す例の場合、データ操作受付部４０は、ウインドウＡに表示されている地図データにおいて、複数の拠点（図中、四角で示す）の中の１つを指定する操作を受付けるよう設計されてもよい。また、データ操作受付部４０は、ウインドウＢに表示されているサービス一覧データにおいて、列挙された複数のサービスの中の１つを指定する操作を受付けるよう設計されてもよい。
【００４９】
データ表示変更部５０は、データ操作受付部４０が操作を受付けると、変更ルールに従い、ディスプレイに表示されているデータの表示内容を変更する。
【００５０】
変更ルールは、データ操作受付部４０が第１のデータ種のデータに対する操作を受付けた場合、他のデータ種のデータの表示内容を変更する処理を定めている。その内容は設計的事項であり、各データ種の内容、他のデータ種との関係、及び、当該データ表示装置１の要求性能等に基づいて決定することができる設計的事項である。なお、第１のデータ種のデータに対する操作を受付けた場合、他の複数のデータ種（数は設計的事項）のデータの表示内容を変更する処理を定めていてもよい。
【００５１】
また、変更ルールは、双方向支配関係にあるデータ種間の変更ルールとして、一方のデータ種のデータに対する操作を受付けた場合に、他方のデータ種のデータの表示内容を変更するルールのみならず、逆方向のルール、すなわち、上記他方のデータ種のデータに対する操作を受付けた場合に、上記一方のデータ種のデータの表示内容を変更するルールを定めていてもよい。このような上記一方のデータ種と、上記他方のデータ種は、双方向支配関係にある。
【００５２】
例えば、変更ルールには、データ操作受付部４０が、監視対象である複数のサービス提供用データセンタ各々の拠点を示した地図データにおいて、複数の拠点の中の１つを指定する操作を受付けると、サービス一覧データの表示内容を、選択された拠点に位置するサービス提供用データセンタが提供するサービスの一覧に変更する処理が定められていてもよい。また、変更ルールには、データ操作受付部４０が、監視対象であるサービスの一覧データ（サービス一覧データ）において、１つのサービスを指定する操作を受付けると、地図データの縮尺を変更などし、指定されたサービスを提供するサーバのフロア図が表示される処理が定められていてもよい。または、変更ルールには、監視対象であるサービスの一覧データ（サービス一覧データ）において、１つのサービスを指定する操作を受付けると、地図データ上において、指定されたサービスを提供するサービス提供用データセンタの拠点のみが表示される処理が定められていてもよい。
【００５３】
変更制御部６０は、データ操作受付部４０が、第１のウインドウに表示されているデータに対する操作を受付けた場合、その時点で第１のウインドウよりも優先順位が低いウインドウに表示されているデータの表示内容の変更を許可するが、第１のウインドウよりも優先順位が高いウインドウに表示されているデータの表示内容の変更は許可しないように、データ表示変更部５０を制御する。例えば、変更制御部６０は、優先順位決定部３０が保持する優先順位情報を利用して、複数のウインドウの優先順位を判断することができる。
【００５４】
図１に示す例の場合、ウインドウＡはウインドウＢよりも優先順位が高い（図５参照）。かかる場合、変更制御部６０は、データ操作受付部４０がウインドウＡに表示されているデータに対する操作を受付けた場合、ウインドウＢに表示されているデータの表示内容の変更は許可する。このため、図２に示すように、データ操作受付部４０が、複数の拠点（図中、四角で示す）の中の１つを指定する操作を受付けると、データ表示変更部５０は、変更ルールに従い、ウインドウＢにおけるサービス一覧データの表示内容を、指定された拠点に位置するサービス提供用データセンタが提供するサービスの一覧に変更する。
【００５５】
一方、データ操作受付部４０が図１に示すウインドウＢに表示されているデータに対する操作を受付けた場合、ウインドウＡはウインドウＢよりも優先順位が高いので（図５参照）、変更制御部６０は、ウインドウＡに表示されているデータの表示内容の変更は許可しない。このため、データ操作受付部４０が、監視対象であるサービスの一覧データ（ウインドウＢ）において、１つのサービスを指定する操作を受付けても、ウインドウＡにおける地図データの表示は変更されない。
【００５６】
本実施形態のデータ表示装置は、例えば、以下のプログラムをコンピュータにインストールすることで、実現することができる。
【００５７】
コンピュータを、
複数のデータ種各々のデータを表示した複数のウインドウを同時にディスプレイに表示できる表示手段、
前記ウインドウ各々の表示態様を変更する操作を受付け、当該操作に従い、前記ウインドウの表示態様を変更するウインドウ表示変更手段、
前記ディスプレイに複数の前記ウインドウが表示されている場合、前記ウインドウの表示態様に基づいて、複数の前記ウインドウの優先順位を決定する優先順位決定手段、
前記ウインドウに表示されている前記データに対する操作を受付けるデータ操作受付手段、
前記データ操作受付手段が第１の前記データ種の前記データに対する操作を受付けた場合、他の前記データ種の前記データの表示内容を変更する処理を定めた変更ルールに従い、前記データ操作受付手段が前記操作を受付けると、前記ディスプレイに表示されている前記データの表示内容を変更するデータ表示変更手段、
前記データ操作受付手段が、第１の前記ウインドウに表示されている前記データに対する操作を受付けた場合、その時点で前記第１のウインドウよりも前記優先順位が低い前記ウインドウに表示されている前記データの表示内容の変更を許可するが、前記第１のウインドウよりも前記優先順位が高い前記ウインドウに表示されている前記データの表示内容の変更は許可しないように、前記データ表示変更手段を制御する変更制御手段、
として機能させるためのプログラム。
【００５８】
次に、図７のフローチャートを用いて、本実施形態のデータ表示方法の処理の流れの一例を説明する。
【００５９】
まず、ユーザの操作に従い、表示部１０が、複数のデータ種のデータを、複数のウインドウ各々に表示する（Ｓ１０）。例えば、表示部１０は、図１に示すように、監視対象である複数のサービス提供用データセンタ各々の拠点を示した地図データを表示するウインドウＡと、監視対象であるサービスの一覧データ（サービス一覧データ）を表示するウインドウＢとを、ディスプレイに表示する。当該地図データとサービス一覧データは、双方向支配関係にある。なお、表示部１０は、さらに、その他のデータ種のデータを表示するその他のウインドウを表示することもできる。
【００６０】
Ｓ１０の後、優先順位決定部３０は、ディスプレイに表示されている複数のウインドウのその時点での表示態様に基づいて、これらの優先順位を決定する（Ｓ２０）。例えば、優先順位決定部３０は、表示部１０から、その時点でディスプレイに表示されているウインドウ各々を識別する情報（ウインドウＩＤ）、及び、各ウインドウの詳細情報（表示位置、大きさ等）を取得する。そして、取得した情報を利用して、優先順位を決定する。なお、ここでは、優先順位決定部３０は、ディスプレイ上における位置が上にあるウインドウほど、優先順位を高く決定するものとする。このため、図１に示す例の場合、優先順位決定部３０は、ウインドウＡの優先順位を、ウインドウＢの優先順位よりも高く決定する。そして、図５に示すような優先順位情報を作成し保持する。
【００６１】
その後、ウインドウ表示変更部２０は、ウインドウ各々の表示態様を変更する操作を受付けることができる（Ｓ３０）。すなわち、ウインドウ表示変更部２０は、各ウインドウの表示位置を変更する操作や、各ウインドウの大きさ変更する操作を受付けることができる。
【００６２】
また、Ｓ１０の後、データ操作受付部４０は、ウインドウに表示されているデータに対する操作を受付けることができる（Ｓ４０）。例えば、データ操作受付部４０は、図１に示すウインドウＡにおいて、複数の拠点（図中、四角で示す）の中の１つを指定する操作や、ウインドウＢにおいて、複数のサービスの中の１つを指定する操作を受付けることができる。
【００６３】
そして、データ操作受付部４０が操作を受付けると（Ｓ４０のＹｅｓ）、データ表示変更部５０は、変更ルールに従い、ディスプレイに表示されているデータの表示内容を変更する（Ｓ５０）。なお、当該変更処理は、変更制御部６０に制御される。すなわち、変更制御部６０は、Ｓ２０で決定された優先順位に基づき、Ｓ４０で操作を受付けたウインドウよりも優先順位が高いウインドウに表示されているデータの表示内容の変更は許可せず、優先順位が低いウインドウに表示されているデータの表示内容の変更は許可するように、データ表示変更部５０を制御する（Ｓ６０）。
【００６４】
例えば、図１に示す例の場合、ウインドウＡはウインドウＢよりも優先順位が高い（図５参照）。かかる場合、変更制御部６０は、データ操作受付部４０がウインドウＡに表示されているデータに対する操作を受付けた場合、ウインドウＢに表示されているデータの表示内容の変更は許可する。このため、データ操作受付部４０が、図２に示すように、複数の拠点（図中、四角で示す）の中の１つを指定する操作を受付けると、データ表示変更部５０は、変更ルールに従い、ウインドウＢにおけるサービス一覧データの表示内容を、指定された拠点に位置するサービス提供用データセンタが提供するサービスの一覧に変更する。
【００６５】
一方、データ操作受付部４０が図１に示すウインドウＢに表示されているデータに対する操作を受付けた場合、ウインドウＡはウインドウＢよりも優先順位が高いので（図５参照）、変更制御部６０は、ウインドウＡに表示されているデータの表示内容の変更は許可しない。このため、データ操作受付部４０が、監視対象であるサービスの一覧データ（ウインドウＢ）において、１つのサービスを指定する操作を受付けても、ウインドウＡにおける地図データの表示は変更されない。
【００６６】
なお、サービスの一覧データ（ウインドウＢ）を操作し、地図データ（ウインドウＡ）の表示内容を変更させることを望むユーザは、Ｓ３０において、ウインドウＡ及びＢの表示態様を変更する（Ｓ３０のＹｅｓ）。具体的には、ユーザは、ウインドウＢの表示位置がウインドウＡの表示位置よりも上側になるように操作する。すると、ウインドウ表示変更部２０は、Ｓ３０で受付けた操作に従い、ウインドウの表示態様を変更する（Ｓ６０）。結果、ウインドウＡ及びＢの表示態様が、図４に示す状態に変わる。
【００６７】
Ｓ６０の後、優先順位決定部３０は、例えば表示部１０から各ウインドウの変更後の詳細情報（表示位置、大きさ等）を取得し、ディスプレイに表示されている複数のウインドウのその時点（変更後）の表示態様に基づいて、これらの優先順位を決定し直す（Ｓ２０）。図４に示す例の場合、優先順位決定部３０は、ウインドウＢの優先順位を、ウインドウＡの優先順位よりも高く決定する。そして、図５に示す優先順位情報を更新し、図６に示す状態にする。
【００６８】
そして、図４に示す状態で、データ操作受付部４０が操作を受付けると（Ｓ４０のＹｅｓ）、データ表示変更部５０及び変更制御部６０は、以下のような処理を実行する。
【００６９】
図４に示す例の場合、ウインドウＢはウインドウＡよりも優先順位が高い（図６参照）。かかる場合、変更制御部６０は、データ操作受付部４０がウインドウＢに表示されているデータに対する操作を受付けた場合、ウインドウＡに表示されているデータの表示内容の変更は許可する。このため、データ操作受付部４０が、図８に示すように、サービスの一覧データ（ウインドウＢ）において、１つのサービスを指定する操作を受付けると、データ表示変更部５０は、変更ルールに従い、ウインドウＡにおける地図データの表示内容を、例えば地図データの縮尺を変更などし、指定されたサービスを提供するサーバのフロア図に変更する。
【００７０】
一方、データ操作受付部４０が図４に示すウインドウＡに表示されている地図データに対する操作を受付けた場合、ウインドウＡはウインドウＢよりも優先順位が低いので（図６参照）、変更制御部６０は、ウインドウＢに表示されているデータの表示内容の変更は許可しない。このため、データ操作受付部４０が、地図データ（ウインドウＡ）において、１つの拠点を指定する操作を受付けても、ウインドウＢにおけるサービス一覧データの表示は変更されない。
【００７１】
なお、上記処理の流れの変形例として、Ｓ２０の優先順位決定の工程は、Ｓ４０の直後に行うこともできる。
【００７２】
次に、本実施形態の作用効果について説明する。
【００７３】
本実施形態によれば、双方向支配関係にあるデータ種が同時にディスプレイに表示されていても、各データ種のデータを表示するウインドウの表示態様に基づいてウインドウの優先順位を決定し、当該優先順位に基づいて、双方向支配関係にあるデータ種間の関係を、一方向支配関係に限定することができる。すなわち、一方のウインドウで受付けた操作に起因して他方のウインドウのデータ表示を変更するが、その逆は実行されないよう構成することができる。
【００７４】
かかる場合、２つのウインドウ間における操作と表示データの変更の関係がシンプル（一方向）になるので、ユーザの混乱を抑制できる。また、優先順位を、ウインドウの表示態様（例：位置）に基づいて決定しているので、ユーザは、ウインドウの表示態様から、容易に、２つのウインドウ間の上記関係を把握することができる。そして、ユーザは、必要に応じてウインドウの表示態様を変更して２つのウインドウ間の上記関係を変更した後、所定の操作を行い、所望のウインドウの表示内容を変更することができる。
【００７５】
＜第２の実施形態＞
本実施形態では、３つのウインドウを同時に表示する実施形態について説明する。なお、第１の実施形態と同様の構成については説明を省略する。
【００７６】
図９に、表示部１０が実現する表示の一例を示す。図９の例の場合、ディスプレイに３つのウインドウＡ、Ｂ及びＣが表示されている。ここで、本実施形態の優先順位を決定するルールは、ディスプレイ上における位置が、ディスプレイを閲覧するユーザから見て左上にあるウインドウほど優先順位を高く決定し、右下にあるウインドウほど優先順位を低く決定するものであるとする。優先順位決定部３０は、図９に示す表示態様の場合、ウインドウＡの優先順位を１位、ウインドウＢの優先順位を２位、ウインドウＣの優先順位を３位と決定する。そして、図１０に示すような優先順位情報を作成し、保持する。
【００７７】
かかる場合、変更制御部６０は、ウインドウＡに表示されているデータに対する操作に起因して、ウインドウＢ及びＣに表示されているデータの表示の変更を許可する。一方、変更制御部６０は、ウインドウＢに表示されているデータに対する操作に起因して、ウインドウＣに表示されているデータの表示の変更を許可するが、ウインドウＡに表示されているデータの表示の変更を許可しない。また、変更制御部６０は、ウインドウＣに表示されているデータに対する操作に起因して、ウインドウＡ及びＢに表示されているデータの表示の変更を許可しない。
【００７８】
ここで、ウインドウ表示変更部２０がウインドウＡ乃至Ｃの表示位置を変更する操作を受付け、これらの表示態様が図１１に示す例のようになったとする。すると、優先順位決定部３０は、ウインドウＡ乃至Ｃの優先順位を決定し直す。具体的には、ウインドウＣの優先順位を１位、ウインドウＢの優先順位を２位、ウインドウＡの優先順位を３位と決定する。そして、優先順位情報の内容を、図１２に示すように更新する。
【００７９】
かかる場合、変更制御部６０は、ウインドウＣに表示されているデータに対する操作に起因して、ウインドウＡ及びＢに表示されているデータの表示の変更を許可する。一方、変更制御部６０は、ウインドウＢに表示されているデータに対する操作に起因して、ウインドウＡに表示されているデータの表示の変更を許可するが、ウインドウＣに表示されているデータの表示の変更を許可しない。また、変更制御部６０は、ウインドウＡに表示されているデータに対する操作に起因して、ウインドウＢ及びＣに表示されているデータの表示の変更を許可しない。
【００８０】
このように、本実施形態は、複数のウインドウを同時にディスプレイに表示している場合であっても、第１の実施形態と同様の作用効果を実現することができる。なお、同時にディスプレイに表示するウインドウの数は設計的事項である。
【００８１】
＜第３の実施形態＞
本実施形態の変更制御部６０は、すべてのデータ種間において、上記制御を行うのでなく、双方向支配関係にあるデータ種間のみ、上記制御を行うよう構成する。
【００８２】
例えば、図９に示すウインドウＡ及びＢ各々に表示されているデータ種間の関係が双方向支配関係にある場合、変更制御部６０は、ウインドウＡ及びＢに表示されているデータ種に対する操作に起因した他のウインドウの表示内容の変更を制御する。具体的には、優先順位情報が図１０に示す状態であるとすると、変更制御部６０は、ウインドウＡの操作に起因したウインドウＢの表示内容の変更を許可するが、ウインドウＢの操作に起因したウインドウＡの表示内容の変更は許可しない。当該処理は、第１及び第２の実施形態と同様である。
【００８３】
これに対し、図９に示すウインドウＢ及びＣ各々に表示されているデータ種間の関係が双方向支配関係でない場合、変更制御部６０は、ウインドウＢ及びＣに表示されているデータ種に対する操作に起因した他のウインドウの表示内容の変更を制御しない。このため、例えば、変更ルールにより、ウインドウＣに表示されているデータ種に対する操作を受付けた場合ウインドウＢに表示されているデータ種のデータの表示内容を変更するよう定められている場合、優先順位情報が図１０に示す状態であったとしても、データ操作受付部４０がウインドウＣに表示されているデータ種に対する操作を受付けると、データ表示変更部５０は、変更ルールに従い、ウインドウＢに表示されているデータ種の表示内容を変更する。
【００８４】
変更制御部６０は、例えば、表示部１０から、各ウインドウに表示されているデータ種を識別する情報（図１３参照）を取得する。また、変更制御部６０は、予め、双方向支配関係にあるデータ種どうしを対応付けて記録した対応データ（図１４参照）を保持しておく。そして、これらの情報を利用して、どのウインドウに表示されているデータ種と、どのウインドウに表示されているデータ種が、双方向支配関係にあるかを判断してもよい。図１３及び１４に示すデータに基づけば、変更制御部６０は、ウインドウＡに表示されているデータ種と、ウインドウＢに表示されているデータ種が、双方向支配関係にあると判断する。その後、変更制御部６０は、優先順位決定部３０が保持する優先順位情報（例：図１０、１２）に基づいて、上述のように、ウインドウＡ及びＢに表示されているデータ種に対する操作に起因した他のウインドウの表示内容の変更を制御する。
【００８５】
なお、本実施形態の場合、優先順位決定部３０は、図１０及び１２に示すように、表示されているすべてのウインドウをまとめて優先順位を決定するのでなく、双方向支配関係にあるデータ種のデータを表示しているウインドウ間における優先順位のみを決定してもよい。例えば、図９に示されるウインドウＡ乃至Ｃにおいて、ウインドウＡ及びＢ各々に表示されているデータ種は双方向支配関係にあるが、ウインドウＣに表示されているデータ種は、ウインドウＡ及びＢいずれに表示されているデータ種とも双方向支配関係にない場合、優先順位決定部３０は、ウインドウＡ及びＢの優先順位のみを決定してもよい。このようにすれば、コンピュータの処理量を軽減できて好ましい。
【００８６】
このような本実施形態によれば、第１及び第２の実施形態と同様の作用効果を実現することができる。
【００８７】
＜第４の実施形態＞
本実施形態の優先順位決定部３０は、複数のウインドウ各々のディスプレイ上における表示領域の大きさに基づいて、優先順位を決定する。本実施形態のその他の構成は、第１乃至第３の実施形態と同様であるので、ここでの説明は省略する。
【００８８】
優先順位決定部３０は、例えば、ディスプレイ上における表示領域が大きいウインドウほど、優先順位を高く決定する。逆に、優先順位決定部３０は、ディスプレイ上における表示領域が小さいウインドウほど、優先順位を高く決定することもできる。ここでは、優先順位決定部３０は、ディスプレイ上における表示領域が大きいウインドウほど、優先順位を高く決定するものとする。
【００８９】
例えば、表示部１０が、図１５に示すように、ウインドウＡ及びＢをディスプレイに表示している場合、優先順位決定部３０は、表示領域が大きい方のウインドウＡをウインドウＢよりも優先順位を高く決定する。そして、図５に示すような優先順位情報を作成し、保持する。その後、ウインドウ表示変更部２０がユーザ操作に基づいてウインドウＡ及びＢの表示態様（大きさ）を変更し、図１６に示す状態になったとする。すると、優先順位決定部３０は、変更後の表示態様に基づいて、優先順位を決定し直す。具体的には、優先順位決定部３０は、表示領域が大きい方のウインドウＢをウインドウＡよりも優先順位を高く決定する。そして、図６に示すように優先順位情報を更新する。
【００９０】
このような本実施形態によれば、第１乃至第３の実施形態と同様の作用効果を実現することができる。
【符号の説明】
【００９１】
１    データ表示装置
１０  表示部
２０  ウインドウ表示変更部
３０  優先順位決定部
４０  データ操作受付部
５０  データ表示変更部
６０  変更制御部
【図１】
2013041401.tif 000003
【図２】
2013041401.tif 000004
【図３】
2013041401.tif 000005
【図４】
2013041401.tif 000006
【図５】
2013041401.tif 000007
【図６】
2013041401.tif 000008
【図７】
2013041401.tif 000009
【図８】
2013041401.tif 000010
【図９】
2013041401.tif 000011
【図１０】
2013041401.tif 000012
【図１１】
2013041401.tif 000013
【図１２】
2013041401.tif 000014
【図１３】
2013041401.tif 000015
【図１４】
2013041401.tif 000016
【図１５】
2013041401.tif 000017
【図１６】
2013041401.tif 000018